(57)【要約】【課題】画像形成装置において、製造コストを低くし、大きさが大きく薄めの記録紙と大きさが小さく厚めである記録紙とを共に確実に筐体内部に搬送可能にする。【解決手段】画像形成装置の筐体１０の背部には、上前方を向き傾斜するように、給紙斜面１１及び給紙トレイ１２により構成された記録紙載置部１３が配されている。給紙トレイ１２には、左右一対のガイド部材１５が左右に摺動可能に配置されている。給紙斜面１１上には、ガイド部材１５がはがきサイズ位置に位置するとき、その給紙方向下端部近傍部位が当接するように形成された隆起部１６が形成されている。ガイド部材１５によりはがきサイズの記録紙が位置決めされるとき、ガイド部材１５の給紙方向下端部が隆起部１６に当接し上方に変位するので、ガイド部材１５の支持床部１５ｃに支持された記録紙の水平面からの傾斜角度が小さくなり、厚めの記録紙でも確実に給紙可能になる。【選択図】図２
2009113966.tif 000002
【特許請求の範囲】
【請求項１】
筐体と、
前記筐体背部に、上前方を向き傾斜するように配置され、前記筐体内部に搬送される記録紙が立てかけられるようにして装填される記録紙載置部と、
前記記録紙載置部上にスライド可能に配置され、その記録紙載置部に装填された記録紙の側端部を位置決め可能なガイド部材と、
前記記録紙載置部に装填された記録紙を前記筐体内部に給紙し、筐体内部で略水平方向に搬送する記録紙搬送機構と、
前記記録紙搬送機構により搬送された記録紙上に画像を形成する画像形成部とを備え、
前記ガイド部材は、前記記録紙載置部上で、少なくとも、第１サイズの記録紙を位置決め可能な第１位置と前記第１サイズより小さい第２サイズの記録紙を位置決め可能な第２位置との間をスライド可能に配置されている画像形成装置において、
前記ガイド部材は、記録紙の側端部に当接することによりその記録紙を位置決めする突起部と、位置決めする記録紙の側端部を下面から支持するように前記突起部の下部から前記記録紙載置部の上面に沿うように突出する支持床部とを有し、
前記記録紙載置部は、前記ガイド部材が前記第２位置にあるとき、そのガイド部材の下面の給紙方向下端部近傍部位に当接するように、前記記録紙載置部の上面から隆起するように形成された隆起部を有し、
前記ガイド部材は、前記第２位置にあるとき、前記第１位置にあるときと比較して給紙方向下端部が前記記録紙載置部の上面から離れる方向に変位するように構成されていることを特徴とする画像形成装置。
【請求項２】
前記ガイド部材は、前記記録紙載置部の幅方向中央部に略対称に一対に配置されており、
前記隆起部は、前記一対のガイド部材に対応するように、前記記録紙載置部の幅方向中央部に略対称に一対に、前記記録紙載置部に一体に形成されていることを特徴とする請求項１記載の画像形成装置。
【請求項３】
前記隆起部は、前記第２位置にある前記ガイド部材が当接する部位から、前記ガイド部材が前記第２位置から前記第１位置にスライドする方向に向けて、前記記録紙載置部の上面からの隆起高さが徐々に減るように傾斜するように形成された傾斜部を有していることを特徴とする請求項１又は請求項２記載の画像形成装置。
【発明の詳細な説明】
【技術分野】
【０００１】
本発明は、筐体の背面に傾斜して配置された記録紙載置部上に載置された記録紙を筐体内部に略水平方向に搬送し当該記録紙上に画像を形成する画像形成装置に関し、特に記録紙載置部に記録紙の両側部を位置決めし支持するガイド部材を有するものに関する。
【背景技術】
【０００２】
従来より、筐体内部で搬送する記録紙に画像を形成する画像形成装置としては、筐体の背面に傾斜して配置された給紙トレイ等の記録紙載置部上から、記録紙を、記録紙に当接する給紙ローラを用いて、一枚ずつ筐体内部に略水平方向に搬送するものがある。このように、記録紙載置部を傾斜させることにより、画像形成装置の設置スペースをコンパクト化することが可能になる。
【０００３】
ところで、このように記録紙が載置される記録紙載置部が傾斜して配置されている場合、筐体内部へ記録紙を搬送する給紙時に、記録紙載置部と筐体内部の搬送路との間に記録紙の給紙方向先端部を突き当てつつ、記録紙を湾曲させ、記録紙を一枚ずつ筐体内部へ略水平方向に給紙することが必要である。このとき、薄めの記録紙であれば、記録紙が湾曲しやすいため、比較的スムーズに給紙することができる。しかしながら、例えばはがき等、厚めの記録紙を給紙する場合には、記録紙が湾曲しにくいため、記録紙を搬送させる給紙ローラの駆動トルクによっては、記録紙を給紙できない場合がある。これを防ぐためには、例えば、強力なモータを用いる等して給紙ローラを大きなトルクで駆動するか、記録紙載置部の傾斜角度を水平に近づくように小さくすればよい。しかしながら、より強力なモータを用いるようにした場合、部品コストが高くなり、製造コストが高くなる。また、記録紙載置部の傾斜角度を変更すると、画像形成装置が大型化してしまい、また、薄めの記録紙の給紙時に、給紙する記録紙を一枚ずつ分離させることができず、多枚数を同時に給紙してしまう給紙不良が発生する可能性がある。
【０００４】
ここで、例えば特許文献１には、用紙トレイからスロープ部を突出させて記録紙を押し上げるようにした用紙積載装置が開示されている。しかしながら、このような可動構造を用いた場合、部品点数が多くなるため、製造コストが高くなってしまう。
【０００５】
また、特許文献２には、画像形成装置の給紙トレイにおいて、種々のサイズの記録紙に対応するリブの高さが互いに異なるようにし、給紙角度を記録紙のサイズに応じて変更させることが開示されている。しかしながら、給紙トレイの上面に、記録紙の側部を位置決めして搬送される記録紙をガイドするためのガイド部材を設けた場合、このような高さの異なるリブを設けることができない。
【０００６】
特許文献３には、画像形成装置において、手差し台の角度に応じて摩擦分離部材を変位させ、厚紙の給紙搬送性を向上させることが開示されている。しかしながら、この構造はいわゆる手差し給紙時に厚紙の給紙搬送性を向上させるものであり、複数枚載置させた記録紙を一枚ずつ給紙することが可能な記録紙載置部に適用可能な機構ではない。また、この機構を適用する際には、部品点数が多くなるため、製造コストが高くなる。
【特許文献１】特開平１１‐２２２３２２号公報
【特許文献２】特開昭６３‐２１８４５５号公報
【特許文献３】特開平１１‐１３９６３０号公報
【発明の開示】
【発明が解決しようとする課題】
【０００７】
本発明は、上記問題点を鑑みてなされたものであり、大きさが大きく薄めの記録紙と大きさが小さく厚めである記録紙とを共に確実に筐体内部に搬送可能な、製造コストが低い画像形成装置を提供することを目的とする。
【課題を解決するための手段】
【０００８】
上記目的を達成するため、請求項１の発明は、筐体と、前記筐体背部に、上前方を向き傾斜するように配置され、前記筐体内部に搬送される記録紙が立てかけられるようにして装填される記録紙載置部と、前記記録紙載置部上にスライド可能に配置され、その記録紙載置部に装填された記録紙の側端部を位置決め可能なガイド部材と、前記記録紙載置部に装填された記録紙を前記筐体内部に給紙し、筐体内部で略水平方向に搬送する記録紙搬送機構と、前記記録紙搬送機構により搬送された記録紙上に画像を形成する画像形成部とを備え、前記ガイド部材は、前記記録紙載置部上で、少なくとも、第１サイズの記録紙を位置決め可能な第１位置と前記第１サイズより小さい第２サイズの記録紙を位置決め可能な第２位置との間をスライド可能に配置されている画像形成装置において、前記ガイド部材は、記録紙の側端部に当接することによりその記録紙を位置決めする突起部と、位置決めする記録紙の側端部を下面から支持するように前記突起部の下部から前記記録紙載置部の上面に沿うように突出する支持床部とを有し、前記記録紙載置部は、前記ガイド部材が前記第２位置にあるとき、そのガイド部材の下面の給紙方向下端部近傍部位に当接するように、前記記録紙載置部の上面から隆起するように形成された隆起部を有し、前記ガイド部材は、前記第２位置にあるとき、前記第１位置にあるときと比較して給紙方向下端部が前記記録紙載置部の上面から離れる方向に変位するように構成されているものである。
【０００９】
請求項２の発明は、請求項１の発明において、前記ガイド部材は、前記記録紙載置部の幅方向中央部に略対称に一対に配置されており、前記隆起部は、前記一対のガイド部材に対応するように、前記記録紙載置部の幅方向中央部に略対称に一対に、前記記録紙載置部に一体に形成されているものである。
【００１０】
請求項３の発明は、請求項１又は請求項２の発明において、前記隆起部は、前記第２位置にある前記ガイド部材が当接する部位から、前記ガイド部材が前記第２位置から前記第１位置にスライドする方向に向けて、前記記録紙載置部の上面からの隆起高さが徐々に減るように傾斜するように形成された傾斜部を有しているものである。
【発明の効果】
【００１１】
請求項１の発明によれば、第２サイズの記録紙をガイド部材により位置決めして記録紙載置部に装填したとき、ガイド部材が隆起部に当接して変位することにより、ガイド部材の支持床部に支持されている記録紙も変位する。一般的に、はがきや封筒など、サイズの小さい記録紙は、Ａ４サイズの普通紙等に比べて厚い場合が多い。そのため、第２サイズの記録紙のほうが第１サイズの記録紙よりも記録紙載置部への装填時の水平面に対する傾斜角度が小さくなるので、第２サイズの記録紙が第１サイズの記録紙より厚めである場合に、第１サイズの記録紙と第２サイズの記録紙とを共に確実に筐体内部に搬送することが可能になる。隆起部が記録紙載置部に設けられている簡素な構成であるため、画像形成装置の製造コストが低くなる。
【００１２】
請求項２の発明によれば、記録紙載置部に第２サイズの記録紙を装填するときに、記録紙の両側部がガイド部材の支持床部に支持されるので、ガイド部材が隆起部に当接し変位したときに、記録紙が、傾斜角度が小さくなるようにして確実に保持される。従って、紙が厚い第２サイズの記録紙をより確実に筐体内部に搬送することが可能になる。また、隆起部は、記録紙載置部に一体に形成されているので、画像形成装置の製造コストをさらに低くすることができる。
【００１３】
請求項３の発明によれば、ガイド部材が第１位置と第２位置との間で傾斜部に接しながらスライドするので、ガイド部材の給紙方向下端部が隆起部に引っ掛かることがなくなる。従って、ガイド部材をスムーズにスライドさせることができるようになり、より容易に記録紙の装填操作を行うことができる。
【発明を実施するための最良の形態】
【００１４】
以下、本発明の一実施形態について図面を参照して説明する。図１は、本実施形態に係る画像形成装置の一例を示す。この画像形成装置（以下、プリンタと称する）１は、例えば、インクを吐出する記録ヘッド３ａを下面に有するインクカートリッジ３が搭載されたキャリッジ２を、主走査方向（図に矢印Ａで示す）に往復移動させることにより、筐体１０の内部で、主走査方向と直交する略水平の副走査方向（図に矢印Ｂで示す）に搬送される記録紙Ｐに画像を形成するものである。このプリンタ１は、例えば外部のパーソナルコンピュータ（図示せず）等と接続されており、このパーソナルコンピュータ等から送信されるデータ及びコマンド等に基づいて、記録紙Ｐに画像を形成するプリント動作を行う機能を有している。
【００１５】
このプリンタ１は、筐体１０の背部に、プリントされる記録紙Ｐが装填される記録紙載置部１３を有している。また、筐体１０の前面下方に、プリントされた記録紙Ｐが排出される排紙トレイ４０を有している。本実施形態において、記録紙載置部１３は、筐体１０の背部に筐体１０に一体に形成された給紙斜面１１と、その給紙斜面１１と略同一平面を成すように筐体１０の上背部に軸支された給紙トレイ１２とで構成されている。記録紙載置部１３には、例えば、Ａ４サイズ（第１サイズ）の記録紙Ｐ１や、はがきサイズ（第２サイズ）の記録紙Ｐ２等、種々の大きさの記録紙Ｐを給紙可能に装填することができるように構成されている。記録紙載置部１３は、記録紙Ｐが上前方を向き傾斜して載置されるように配置されており、筐体内部に搬送（給紙）される記録紙Ｐは、記録紙載置部１３に立てかけられるようにして装填される。図に示すように、記録紙Ｐは、記録紙載置部１３上には、後述のように記録紙Ｐを位置決めするために用いられる一対のガイド部材１５が、主走査方向に摺動可能に設けられている。
【００１６】
プリンタ１の筐体１０の内部には、キャリッジ２と、キャリッジ２に搭載されているインクカートリッジ３と、キャリッジ２の背面側に主走査方向が長手方向に配されるシャフト４と、記録紙搬送機構６と、キャリッジ２に駆動力を与えて往復移動させる駆動機構７と、キャリッジ２の主走査方向の位置を検出するために用いられて筐体１０に主走査方向に沿って配されているエンコーダスケール８と、プリンタ１の種々の動作を制御するための制御回路９とが設けられている。本実施形態において、キャリッジ２、インクカートリッジ３、シャフト４、及び駆動機構７等は、記録紙Ｐ上に画像を形成する画像形成部２０を構成する。
【００１７】
キャリッジ２は、シャフト４に摺動可能に嵌合されており、駆動機構７のベルト７ａの一部分に接続され、シャフト４に沿って主走査方向に移動可能に配置されている。キャリッジ２にはフォトカプラ（図示せず）が搭載されており、このフォトカプラが所定の解像度を有するエンコーダスケール８上を走査することにより、キャリッジ２の主走査方向の位置を検出可能となるように構成されている。キャリッジ２の内部には空間が設けられ、その空間にインクカートリッジ３が配置されている。
【００１８】
インクカートリッジ３は、内部にカラーインク又はブラックインク等を貯蔵するインクタンク（図示せず）を有している。インクカートリッジ３の下面には、インクタンクに収納されたインクを吐出するための複数のノズルを有する記録ヘッド３ａが設けられている。記録ヘッド３ａは下方のプラテン（図示せず）に対向するように設けられており、記録紙Ｐのうちプラテンにより支えられている部位に記録ヘッド３ａからインクが吐出されるように構成されている。
【００１９】
記録紙搬送機構６は、動力源であるモータ６ａと、記録紙Ｐを記録紙載置部１３から筐体１０の内部に給紙するための給紙ローラ６ｂと、給紙ローラ６ｂにより筐体１０の内部に送られた記録紙Ｐを筐体１０の内部で副走査方向に搬送するための搬送ローラ６ｃと、画像が形成された記録紙Ｐを排紙トレイ２０に排出する排紙ローラ６ｄ等で構成されている。モータ６ａは、例えば歯車等を介して、給紙ローラ６ｂ、搬送ローラ６ｃ、及び排紙ローラ６ｄを回動させるように構成されている。
【００２０】
駆動機構７は、例えば、プリンタ１の筐体１０に主走査方向に沿って配されている環状のベルト７ａと、このベルト７ａを回動させるためのＤＣモータ７ｂ等により構成されている。ベルト７ａの一部分は、キャリッジ２の背部に接続されている。駆動機構７は、ＤＣモータ７ｂによってベルト７ａを回動させることにより、キャリッジ２に駆動力を与えて、キャリッジ２を主走査方向に往復移動させる。
【００２１】
制御回路９は、例えば外部のパーソナルコンピュータ等で動作するデバイスドライバ等のソフトウェア等により制御されるものである。この制御回路９は、例えば、パーソナルコンピュータから送信されるデータ及びコマンド等に基づいて、記録紙搬送機構６と、駆動機構７及び記録ヘッド３ａ等の画像形成部２０を制御することにより、記録紙Ｐ上に画像を形成するプリント機能を実行する。制御回路９は、このようなプリント機能の他、例えばデジタルスチルカメラ等から送信されるようなＪＰＥＧ圧縮された画像データを解凍して記録紙Ｐ上に画像を形成する機能を有しているようなものであってもよい。また、制御回路９は、例えば筐体１０に設けられるような操作ボタン等がユーザ等により操作されることに応じて、所定の機能を動作させるように構成されていてもよい。
【００２２】
図２及び図３は、プリンタ１の記録紙載置部１３を示す。給紙トレイ１２は、その幅方向両端部に設けられた軸支部１２ａにおいて、筐体１０の上背部に軸支されている。給紙トレイ１２には、その幅方向（主走査方向）が長手方向となるように、左右一対のスライド溝１２ｃが形成されている。
【００２３】
図２に示すように、ガイド部材１５は、それぞれのスライド溝１２ｃに摺動可能に貫装されたスライド部材１５ａと、スライド部材１５ａに軸支され給紙斜面１１上を滑動可能に配置されたガイド（突起部）１５ｂとの２つの部材を有している。ガイド部材１５は、記録紙載置部１３の幅方向中央部について左右略対称に配置されている。左右それぞれのスライド部材１５ａは、例えば、給紙トレイ１２の裏側に配置されたピニオンギア（図示せず）に噛み合うラックを有しており、スライド部材１５ａの一方がスライド溝１２ｃに沿って摺動すると、他方もそれに連動し、その一方の摺動方向の反対方向に摺動するように構成されている。ガイド１５ｂは、給紙斜面１１に略垂直に、給紙方向に沿って立設するようなリブ形状を有しており、それぞれのガイド１５ｂの下部には、その給紙斜面１１上に沿うように、互いのガイド１５ｂに向けて突出する支持床部１５ｃが形成されている。図３に示すように、ガイド１５ｂは、給紙斜面１１の上端縁に摺動可能に引っ掛けられた鉤形の引掛部１５ｄを有しており、例えばプリンタ１の運搬時等にプリンタ１が傾く等しても、ガイド１５ｂが給紙斜面１１から大きく離れることなく、ガイド部材１５が破損しにくく、取り扱い易いように構成されている。
【００２４】
本実施形態において、スライド部材１５ａに対して、ガイド１５ｂは、図２に一点鎖線で示す、筐体１０に対する給紙トレイ１２の回転軸１９を中心に回動可能に軸支されている。すなわち、このプリンタ１は、例えば使用しないときに、スライド部材１５ａと共に給紙トレイ１２を筐体１０に対して前方に回動させて折りたたみ、よりコンパクトに収納可能に構成されている。
【００２５】
図２に示すように、給紙斜面１１の幅方向中央部には、支持床部１５ｄの上面と略同一平面を成すように形成された凸部１１ａが形成されている。このプリンタ１を用いて、例えばＡ４サイズの記録紙Ｐ１に画像を形成する際には、先ず、ガイド部材１５が記録紙載置部１３の両側部近傍のＡ４サイズ位置（第１位置）に位置するようにする。そして、記録紙Ｐ１を、その記録紙Ｐ１の左右側端部がガイド部材１５のガイド１５ｂに当接し、その記録紙Ｐ１の側端部下面が支持床部１５ｃにより支持され、記録紙Ｐ１の幅方向中央部が凸部１１ａに支持されるようにして、記録紙載置部１３上に載置する。これにより、記録紙Ｐ１は、記録紙Ｐ１の幅方向略中央部が記録紙載置部１３の幅方向中央部に位置するように、記録紙載置部１３上に位置決めされて装填される。図３に示すように、筐体１０の内部で、給紙された記録紙Ｐ１の略水平方向の搬送路を構成する部位のうち、給紙斜面１１の下部には、記録紙載置部１３に装填された記録紙Ｐ１の先端部の一部に当接するように、例えばゴム製のスプリッタ１８が配置されている。給紙ローラ６ｂが、装填された記録紙Ｐ１の最も上部の一枚に当接しつつ回動すると、記録紙Ｐ１が図の矢印Ｃ１で示す給紙方向に変位しようとし、記録紙Ｐ１の給紙方向先端部がスプリッタ１８に押し付けられる。先端部がスプリッタ１８に押し付けられながらさらに給紙ローラ６ｂが回動することにより、最も上部の一枚の記録紙Ｐ１がその下方の記録紙Ｐから分離され、その一枚の記録紙Ｐのみが、筐体１０の内部に、略水平方向である副走査方向（図に矢印Ｂで示す）に給紙される。
【００２６】
ここで、本実施形態においては、例えばはがきサイズの記録紙Ｐ２を記録紙載置部１３に装填したとき、上述のＡ４サイズの記録紙Ｐ１を装填したときとは記録紙Ｐ２の給紙方向の水平面に対する角度が異なるように構成されている。これは、ガイド部材１５が、記録紙Ｐ２の左右側端部がガイド１５ｂに当接し記録紙Ｐ２を位置決め可能になる、Ａ４サイズ位置より記録紙載置部１３の中央部側のはがきサイズ位置（第２位置）に位置するとき、そのガイド部材１５の下面に、後述のように給紙斜面１１に形成された隆起部１６が当接することにより実現される。
【００２７】
図２に示すように、給紙斜面１１のうち、凸部１１ａの両側部でガイド部材１５の給紙方向下端部に対応する部位には、給紙斜面１１の上面から例えば凸部１１ａの突出高さと略同程度になだらかに隆起するように隆起部１６が形成されている。隆起部１６は、図に示すように、例えば略山形の側断面形状を有している。各隆起部１６のうち記録紙載置部１３の側縁部に近い側部には、側方に、すなわちはがきサイズ位置からＡ４サイズ位置に向けた方向に、給紙斜面１１の上面からの隆起高さが徐々に減るようになだらかに傾斜するテーパ形状の傾斜部１６ａが形成されている。
【００２８】
図４及び図５は、ガイド部材１５がはがきサイズ位置に位置するときのプリンタ１の記録紙載置部１３を示す。図４に示すように、ガイド部材１５がはがきサイズ位置に位置するとき、ガイド１５ｂの給紙方向下端部近傍の下面が隆起部１６の最も高い部位に当接する。そのため、この状態において、図５に示すように、ガイド１５ｂは、給紙方向下端部が、給紙斜面１１の上面から図の矢印Ｌ方向に離れるように、側方から見て、Ａ４サイズ位置に位置しているときから若干量変位する。このようにガイド１５ｂが変位することにより、支持床部１５ｃに支持された記録紙Ｐ２の傾斜角度が記録紙Ｐ１を装填したときの傾斜角度よりも小さくなり、記録紙Ｐ２の給紙方向（図に矢印Ｃ２で示す）の水平方向からの角度が、記録紙Ｐ１を装填したときと比較して小さくなる。
【００２９】
なお、隆起部１６には傾斜部１６ａが形成されているので、ガイド部材１５は、例えばＡ４サイズ位置からはがきサイズ位置までスライドされる際、ガイド１５ｂの下面が傾斜部１６ａに摺接されながらスライドされる。これにより、ガイド部材１５が、隆起部１６に引っ掛かることなく、スムーズにＡ４サイズ位置とはがきサイズ位置との間でスライド可能になり、容易に記録紙Ｐ１，Ｐ２の装填操作を行うことができる。
【００３０】
このように、本実施形態においては、はがきサイズの記録紙Ｐ２のほうが例えばＡ４サイズの記録紙Ｐ１よりも記録紙載置部１３への装填時の水平面に対する傾斜角度が小さく、給紙方向がより水平に近い角度になる。従って、給紙ローラ６ｂの駆動トルクを大きくすることなく、厚めで湾曲しにくいはがき等の記録紙Ｐ２を確実に一枚ずつ給紙しプリントすることができる。このとき、記録紙Ｐ２の両側部が左右一対のガイド部材１５により支持されるので、記録紙Ｐ２の傾斜角度を確実に小さくすることができる。他方、例えば、はがきサイズよりも大きいＡ４サイズの記録紙Ｐ１にプリントするときには、記録紙Ｐ１の傾斜角度が大きくなるので、比較的薄く湾曲しやすい記録紙Ｐ１を一度に複数枚給紙してしまうことなく、確実に一枚ずつ給紙することができる。隆起部１６は、給紙斜面１１すなわち筐体１０に一体に形成されているので、プリンタ１の製造コストを低くすることができる。
【００３１】
なお、本発明は上記実施形態の構成に限定されるものではなく、発明の趣旨を変更しない範囲で適宜に種々の変形が可能である。例えば、ガイドは、給紙トレイ１２上ではなく給紙斜面１１上に設けられていてもよく、また、左右一対に設けられていなくてもよい。また、画像形成装置は、インクジェット方式ではなく、例えば電子写真方式により記録紙に画像を形成可能に構成されていてもよい。
【図面の簡単な説明】
【００３２】
【図１】本発明の一実施形態に係る画像形成装置の一例を示す斜視図。
【図２】上記装置の記録紙載置部を示す斜視図。
【図３】上記装置の記録紙載置部のＡ４サイズ位置近傍における側断面図。
【図４】ガイド部材がはがきサイズ位置に位置するときの上記装置の記録紙載置部を示す斜視図。
【図５】ガイド部材がはがきサイズ位置に位置するときの上記装置の記録紙載置部のはがきサイズ位置近傍における側断面図。
【符号の説明】
【００３３】
１  プリンタ（画像形成装置）
６  記録紙搬送機構
１０  筐体
１３  記録紙載置部
１５  ガイド部材
１５ｂ  ガイド（突起部）
１５ｃ  支持床部
１６  隆起部
１６ａ  傾斜部
２０  画像形成部
Ｂ  副走査方向
Ｐ  記録紙
Ｐ１  Ａ４サイズ（第１サイズ）の記録紙
Ｐ２  はがきサイズ（第２サイズ）の記録紙
【図１】
2009113966.tif 000003
【図２】
2009113966.tif 000004
【図３】
2009113966.tif 000005
【図４】
2009113966.tif 000006
【図５】
2009113966.tif 000007